(57)【要約】【課題】  数値のみで提供され、現状や変遷の把握の難しい板情報による気配値の視認性を高めて、特に株価の変動が少なく蝋燭足チャートではバーコード状になる様な相場判断が難しい局面でも気配圧力をチャート化する事で、相場判断を容易にする。【解決手段】  相場の気配圧力チャート作成方法及び情報表示端末装置は、証券取引所から提供された板情報を元に、注文の中で最も高く買いたいという最良買い気配値と、注文の中で最も安く売りたいという最良売り気配値を取得し、チャート上の最良買い気配値と最良売り気配値の間に、最良買い気配値と最良売り気配値の注文数の多寡に従って、最良売り気配値の注文数と最良買い気配値の注文数の比率から、比例した位置に点を打つ。以降、描点を板の情報が変わる度に繰り返し、各点を結び、時系列に沿って折れ線グラフを描き、相場判断を速やかに行える視認性の高いチャートを完成する。【選択図】図１
2007172565.tif 000002
【特許請求の範囲】
【請求項１】
呼び値毎の注文状況を示す板情報に基づき、株式の注文気配圧力チャートを生成する注文気配圧力チャート生成手段で、該注文気配圧力チャート生成手段が生成する注文気配圧力チャートは、株式の注文の売買気配の多寡によって売買気配の圧力を表現することを特徴とする注文気配圧力チャート表示システム。
【請求項２】
請求項１に記載の株価注文気配圧力チャート表示システムに加えて、板情報を取得或いは入力する板情報準備手段を備えたシステム。
【請求項３】
請求項１または２に記載の注文気配圧力チャート表示システムに加えて、該注文気配圧力チャート生成手段が生成した注文気配圧力チャートを出力する注文気配圧力チャート出力手段を備えたシステム。
【請求項４】
請求項１または２または３に記載のシステムの機能を実現するプログラム。
【請求項５】
請求項４に記載のプログラムを記録した記録媒体。
【発明の詳細な説明】
【技術分野】
【０００１】  この発明は、証券取引所が公開する気配値情報を元に数値をチャート化して視覚化し、相場判断を容易にする、注文気配圧力チャート作成方法に関するものである。
【背景技術】
【０００２】  株価チャートは、株価の動きに関する過去の経緯を表現したものであり、例えば、投資家にとっては、これからの株価を予測するための重要なメッセージとして用いられるものである。株価チャートの表示方式として、例えば、図３の様な蝋燭足チャートが一般的に用いられている。【０００３】  図６は、従来の蝋燭足による株価チャートの表現方法について説明するための図である。蝋燭足では、終値が始値よりも高い場合を陽線とし、終値が始値より低い場合を陰線として区別し、それに高値及び安値を表すヒゲを付けることによって、株価の動きを視覚的に表現している。通常、陽線ではその柱を白抜きで表示し、陰線では柱を黒ベタにして表示するようにしている。また、安値が始値と、高値が終値と同値の場合のように、ヒゲがない場合もある。【０００４】  更に、図５に示す、市場に対する現在の注文状況を示す情報として板情報と呼ばれる証券取引所が公開している気配値の一覧がある。気配値とは、証券取引所に対して発注された価格別の注文数のことである。これにより投資家は売買の優劣を判断出来る。【０００５】  株の売買に参加する投資家、特にデイトレーダーなどのザラバでの取引を頻繁に行う者にとっては、項目２および３および４は必須の情報で、使い方によって運用成績が大きく左右される。
【発明の開示】
【発明が解決しようとする課題】
【０００６】  例えば、株価は、企業の業績、為替相場、政府の景気対策、災害といった様々な要素や、市場参加者の思惑等を全て飲み込んで変動するものとされている。このようなことから、投資家等が株価を分析する場合に、上記のような株価チャートのみならず、企業業績をはじめとする景気動向などの基礎的要因、所謂ファンファダメンタルズを表す各種の分析指標を評価することによって、株価トレンドを判断する。【０００７】  それらが最終的に集約された物が図５の板情報である。板情報からは、秒刻みで変化する相場の気配圧力を読み取ることが出来るが、従来、多数の数値が表示された板情報を素早く読み取り、相場を判断するには、相当な経験と慣れが必要とされた。【０００８】  また、視認性を高めチャート化したものでは、図３に示す蝋燭足チャートがあるが、これらは、約定するまでチャートに反映されず、呼び値より細かい相場の駆け引きである気配圧力を判断できなかった。しかし、ザラバでは約定前の駆け引きとも言える注文の一覧表である板情報の迅速な判断が要求されていた。【０００９】  蝋燭足の株価チャートは、買い気配値と売り気配値が変動しない状態では、図４の様にチャート上においてバーコード状になってしまい、買売のどちらの圧力が強いのかを読み取ることが困難であった。図４の場合、４３円と４４円でしか約定しないため、バーコード状になり、売買の優劣が判断しにくい状態になっている。【００１０】  項目７および８および９は、デイトレーダーなどザラバに頻繁に取引を行う者にとっては致命的な問題点であった。【００１１】  本発明は、以上のような問題点を解決し、板情報から効率的に注文気配圧力並びに相場の判断が出来るチャート作成表示システム、該システムの機能を実現するプログラム及び記録媒体を提供することを目的とするものである。
【課題を解決するための手段】
【００１２】  請求項１の発明は、図５に示されるような証券取引所から公開された板情報を元に、チャートを形成する手段である。視認性を高めるために最良売り気配値（５ａ）と最良買い売り気配値（５ｂ）の間の圧力比率を認識し易くするため、二つの気配値の間に二つの気配値の注文数の多寡の比率に従い、時系列に沿って折れ線グラフを引く。この描画は注文が入る度に、あるいは板情報の数値が変わる度に行われ、折れ線グラフが描画されていく。【００１３】  請求項２の発明は、請求項１に記載の注文気配圧力チャート作成システムの機能を実現するために、板情報を提供元の証券取引所あるいは証券会社から取得、または入力する手段を追加したものである。【００１４】  請求項３の発明は、請求項１または２に加えて、その結果をモニタやプリンタなどの出力装置に出力する手段を追加したものである。【００１５】  請求項４の発明は、請求項１または２または３に記載のシステムの機能を実現するプログラムである。【００１６】  請求項５の発明は、請求項４に記載のプログラムを記録した記録媒体である。【００１７】  本発明は、以上の手段よりなる株式相場判断チャートの作成手段並びにプログラム、記録媒体である。
【発明の効果】
【００１８】  本発明によれば、対象となる銘柄の注文状況をリアルタイムで監視し、その時の売買の圧力バランスを瞬時に取得し、相場を判断する材料とできる。呼び値単位の蝋燭足より、更に細かい相場の変化を視覚化する手段を提供する。【００１９】  この手段によって描画されたチャートを見れば、刻一刻と変化する各気配値間の動静が一目瞭然であり、秒単位で行われる相場の変化に適格で素早い判断を下すことが出来る。【００２０】  また、本発明の株価チャート提供システムを利用することにより、他のサービスとの差別化を図り、顧客に有用な株価情報を提供出来る株価チャート提供サービスを実施することが出来る。
【発明を実施するための最良の形態】
【００２１】  以下に本発明の株価情報提供システムの実施形態を添付された図面を参照して具体的に説明する。なお、（）内の英数字は図中の要素を指し示すための符号を表す。【００２２】  証券取引所から提供された板情報を元に、視認性を高めて気配圧力の把握を容易にするため、二つの気配値の間に、二つの気配値の注文数の多寡に従って時系列に沿って折れ線グラフを引く。
本発明は、以上の手段よりなる株式相場の判断用の注文気配圧力チャートの作成手段であり、以下、過程を詳しく説明する。【００２３】  証券取引所などから図５の様な板情報を取得し、注文の中で最も高く買いたいという最良買い気配値（５ｂ）と、注文の中で最も安く売りたいという最良売り気配値（５ａ）を取得する。【００２４】  最良売り気配値の注文数（５ｃ）と最良買い気配値の注文数（５ｄ）の比率から、比例した位置に点を打つ。【００２５】  例えば、図５の板状態の場合、図２のチャート上では４３円（２ｂ）と４４円（２ａ）の間が１センチメートルとすると、売り気配値が４９３万１０００枚で、買い気配値が７４１万４０００なので、比率がおよそ４：６となる。図示すると売り気配は２ｄ、買い気配は２ｃに示す長さとなり、売り気配値の位置から買い気配値の位置へ４ミリメートルの位置（２ｅ）に点を打てばよい。なお、コンピューター上で行う場合を長さの単位をピクセル数に換算する。【００２６】  この際、気配値が繰り上がるか繰り下がった場合は、チャートを上下に広げ、相応する気配値の間に点を打つ。【００２７】  以降、項目２３〜項目２６の作業を板の情報が変わる度に繰り返し、各点を結び、折れ線グラフを描く。【００２８】  更に、圧力チャートと重ねて圧力チャートの移動平均線を描き、その交差地点を売買シグナルとする事で、より効率的なトレードを実現する事も出来る。【００２９】  本発明は、記録媒体に上述した本発明の機能を実現するためのプログラムないしデータを記録して流通させることにより、当該機能の実現を容易にする。そしてコンピュータ等の情報処理装置に上記のごとくの記録媒体を装着して情報処理装置によりプログラムないしデータを読み出すか、若しくは情報処理装置が備えている記憶媒体に当該プログラムないしデータを記憶させ、必要に応じて読み出すことにより、本発明に関わる株価チャート提供機能を実現することが出来る。
【産業上の利用可能性】
【００３０】  以上のように、本発明に係る株価チャート作成システム、株価チャート作成方法および株価チャート作成プログラムは、株式銘柄の板情報に基づいて注文気配圧力チャートを作成し、該作成された株価チャートを作成する株価チャート作成装置、株価チャート作成方法および株価チャート作成プログラムに有用であり、特に、株価動向の直近将来予測を正確に行うことが出来る株価チャート作成装置、株価チャート作成方法および株価チャート作成プログラムに適している。
【図面の簡単な説明】
【００３１】
【図１】本発明である注文気配圧力チャートを示す図である。
【図２】本発明のチャート描画手段を示す図である。
【図３】従来の蝋燭足チャートを示す図である。
【図４】売買が拮抗している場合の蝋燭足チャートを示す図である。
【図５】証券取引所等から公開される板情報を示す図である。
【図６】従来の蝋燭足による株価チャートの表現方法について説明するための図である。
【符号の説明】
【００３２】１ａ  縦軸である株価。
１ｂ  横軸である時間。
１ｃ  注文気配圧力を示す折れ線。
２ａ  最良売り気配値。
２ｂ  最良買い気配値。
２ｃ  ４４円での最良売り気配注文数の最良売買気配合計注文数に対する比率から計算した長さ。
２ｄ  ４３円での最良買い気配注文数の最良売買気配合計注文数に対する比率から計算した長さ。
２ｅ  気配圧力の売買比率から計算された描点位置。
５ａ  最良売り気配値。
５ｂ  最良買い気配値。
５ｃ  図５の状態での最良売り気配。
５ｄ  図５の状態での最良買い気配。
【図１】
2007172565.tif 000003
【図２】
2007172565.tif 000004
【図３】
2007172565.tif 000005
【図４】
2007172565.tif 000006
【図５】
2007172565.tif 000007
【図６】
2007172565.tif 000008